(57)【要約】      （修正有）【課題】トレモロ装置（シンクロナイズド・トレモロ・ブリッジ）をアコースティック・ギターに装着しても、ビブラートを掛ける時の圧力にギター表板が耐えられるギターを提供する。【解決手段】弓形の横木支柱１２に縦支柱１３を接着固定したギター本体補強部材１７を、表板部と側板部５および裏板部から形成されているギター本体において、側板部のウエスト部７および底部の内面に接着固定するとともに、ギター本体表板部裏面にブリッジ補強支柱を接着固定し、ブリッジをギター本体表板部とブリッジ補強支柱とをビスにより螺着するよう構成されている。【選択図】図２
0003182932.tif 000002
【実用新案登録請求の範囲】
【請求項１】
弓形の横木支柱に縦支柱を接着固定したギター本体補強部材を、表板部と側板部および裏板部から形成されているギター本体において、側板部のウエスト部および底部の内面に接着固定するとともに、ギター本体表板部裏面にブリッジ補強支柱を接着固定し、ブリッジをギター本体表板部とブリッジ補強支柱とをビスにより螺着することを特徴とするギター。
【請求項２】
ギター本体補強部材は、ギター本体側板部の底部内面に位置決め用のエンドブロックと、ギター本体補強部材の縦支柱に予め取付けられている縦支柱補助材とを接着固定するともに、横木支柱に予め取付けられている横木支柱補助材をギター本体側板部のウエスト部内面に接着固定することを特徴とする請求項1記載のギター。
【請求項３】
ギター本体補強部材は、横木支柱補助材、横木支柱、縦支柱を階段状となるように順次接着固定し、ギター本体表板部および裏板部に触れないようにギター本体側板部のウエスト部および底部の内面に接着固定することを特徴とする請求項1乃至請求項2記載のギター。
【考案の詳細な説明】
【技術分野】
【０００１】
本考案は、ギターの音響効果をより高めるためのできるトレモロ装置に関する。
【背景技術】
【０００２】
ギターの音響効果をより高めることのできるトレモロ装置は、エレクトリック・ギターに装着することは特許文献１など一般的であった。
【先行技術文献】
【特許文献】
【０００３】
【特許文献１】実開昭６１−７９３９５号公報
【考案の概要】
【考案が解決しようとする課題】
【０００４】
本考案は、トレモロ装置（シンクロナイズド・トレモロ・ブリッジ）をアコースティック・ギター装着すると、ビブラートを掛ける時の圧力にアコースティック・ギター表板が耐えられないという問題があった。  
【０００５】
本考案は、上述した実情に鑑みてなされたものであり、アコースティック・ギターの本体表板部にトレモロ装置（以下［ブリッジ］）という。）を装着してもギター表板が耐えられることを目的とする。
【課題を解決するための手段】
【０００６】
上記課題を解決するための手段として、請求項1に記載の考案は、弓形の横木支柱に縦支柱を接着固定したギター本体補強部材を、表板部と側板部および裏板部から形成されているギター本体側板部のウエスト部および底部の内面に接着固定するとともに、ギター本体表板部裏面にブリッジ補強支柱を接着固定し、ブリッジをギター本体表板部とブリッジ補強支柱とをビスにより螺着することを特徴とするものである。
【０００７】
更に、請求項２に記載の考案は、請求項1に記載のギター本体補強部材は、ギター本体側板部の底部内面に位置決め用のエンドブロックと、ギター本体補強部材の縦支柱に予め取付けられている縦支柱補助材とを接着固定するともに、横木支柱に予め取付けられている横木支柱補助材をギター本体側板部のウエスト部内面に接着固定することを特徴とするものである。
【０００８】
更に、請求項３に記載の考案は、請求項1に記載のギター本体補強部材は、横木支柱補助材、横木支柱、縦支柱を階段状となるように順次接着固定し、ギター本体表板部および裏板部に触れないようにギター本体側板部のウエスト部および底部の内面に接着固定することを特徴とするものである。
【考案の効果】
【０００９】
本考案のギターを用いて、今までエレクトリック・ギターでしか表現できなかった所謂アーミングプレー（音程をトレモロ操作によって半音から一音変化させる。音にビブラートを掛け音の揺らぎを作る。スライドギターのようなニュアンスを作る。）等をアコースティック・ギターによって実現可能となった。そのため、音楽の可能性が広がることが期待される。
【００１０】
また、サウンド的にはドブロ・ギターとアコースティック・ギターの中間のようなサウンドキャラクターやスプリングに使用する残響音の長さ等の特徴があり、個性のある楽器となっている。
【００１１】
これを使用すれば、例えば、バンドアンサンブルでの新たな位置付けができる可能性や、音楽家のステージやアルバム制作時において特徴的に使うことが期待できる。
【００１２】
表板が３ｍｍと薄いアコースティック・ギターに横木支柱および縦支柱によるギター本体内部の補強により、トレモロ装置からスプリングを通じて掛かる７０ｋｇを越える張力に耐える。
【図面の簡単な説明】
【００１３】
【図１】本考案のギターを示す正面図である。
【図２】本考案のギター本体胴部の縦断面図である。
【図３】本考案のギター本体胴部の内部Ａ−Ａ端面図である。
【考案を実施するための形態】
【００１４】
以下、図面を参照して本考案のギターの一実施態様を説明する。
本考案によるギター本体補強部材１７は、弓形に形成された横木支柱１２に接着固定された縦支柱１３で構成されている。ギター本体３の側板部５の底部内面に位置決め用のエンドブロック１１を接着固定した後、前記縦支柱１３に予め取付けられている縦支柱補助材１５を接着固定し、前記横木支柱１２を補強するために予め接着固定されている横木支柱補助材１４を前記ギター本体３側板部５のウエスト部７内面に接着固定する。
【００１５】
前記ギター本体補強部材１７は、横木支柱補助材１４、横木支柱１２、縦支柱１２を階段状となるように順次接着固定し、前記ギター本体３の表板部４および裏板部１０に触れないように接着固定する。
【００１６】
表板部４の略中央部の裏面にメイプル板目材で形成されたブリッジ補強支柱１６を接着固定し、ブリッジ６を前記表板部４載置し、接着固定されているブリッジ補強支柱１６と表板部４にビスにて螺着固定する。前記横木支柱１２の取付け位置は、ブリッジ６の高さによって決まり、表板部４から４０ｍｍから５０ｍｍ下がった位置に取り付けるとスプリングの利き具合が最も良いことを知見した。
【００１７】
複数本のフレット２が埋設された指板１をネック８に嵌合されたものを、側板部５上部に接合する。接合に際しては、前記側板部５上部内面にネックブロック９を予め接着接合しておく。
【００１８】
横木支柱１２と縦支柱１３の木目は直下に交差するように組み、さらに前記側板部５と４箇所接着されて一体構造とすることにより、強度と軽量化のベストミックスが図られる。また、横木支柱１２は弦の張力に耐えられる必要があり、軽くて強度が十分得られるマホガニー・アュシュ・ウォールナット等から構成すると音の振動を阻害することなく好適である。
【００１９】
横木支柱１２は、ギター本体３のサウンドホール１８よりあまり見えない方がこのましく、弓形になっている。また、音がサウンドホール１８より出るのを阻害しない形でもあり、また、縦支柱１３は真っ直ぐな木目で、強度・軽量化のバランスが図られている。
【００２０】
本考案のギター本体補強部材を、完成したギターに後から取り付けることも可能となるよう、最適な形状としている。一般的にギターの裏板に弦の交換用の窓が開けられているので、窓からギター本体補強部材を入れることが出来るサイズは、１８０ｍｍ×１００ｍｍが最適である。
【符号の説明】
【００２１】
１    指板
２    フレット
３    ギター本体
４    表板部
５    側板部
６    ブリッジ
７    ウエスト部
８    ネック
９    ネックブロック
１０    裏板部
１１    エンドブロック
１２    横木支柱
１３    縦支柱
１４    横木支柱補助材
１５    縦支柱補助材
１６    ブリッジ支柱
１７    ギター本体補強部材
１８    サウンドホール
【図１】
0003182932.tif 000003
【図２】
0003182932.tif 000004
【図３】
0003182932.tif 000005